(57)【要約】【課題】石灰、炭酸カルシウムなどの粉体が、ラインを引く際に飛び散らないライン引き器を提供する。【解決手段】ライン引き器１のハンドル９に設けられた散水レバー４９を引くと、散水レバー４９の動きが開閉機構のワイヤー４７を引き、このワイヤー４７が開閉弁である開閉コック４１の開閉レバー４３を引き、開閉コック４１が開く。これにより、水タンク２７の水は連通部３５である水管３３を通って開閉コック４１を通り、散水部３７である水管３３の複数の孔３６から散水される。この水は、粉体１１の送出口２１よりも前方に、送出口２１よりも幅広く散水される。よって、ラインの幅に正確に合わせて散水できる。【選択図】図１
2009143504.tif 000002
【特許請求の範囲】
【請求項１】
地面に粉体でラインを引くライン引き器において、走行するための車輪と、ハンドルと、前記粉体を入れる粉タンクと、この粉タンクの底部に形成され前記粉体を送出する送出口と、前記車輪と同軸に、前記粉タンク内で前記送出口の上に設けられ、前記粉体の送出を促す羽根車と、水タンクと、この水タンクの底部と連通する連通部を介して前記送出口よりも前方に形成され、前記送出口よりも幅広く散水する散水部と、前記連通部に設けられた開閉弁と、この開閉弁を開閉するために前記ハンドルに設けられた散水レバーと、この散水レバーの動きを前記開閉弁に伝える開閉機構と、を有することを特徴とするライン引き器。
【請求項２】
前記連通部は水管であり、前記散水部はこの水管に開けられた複数の孔であり、前記開閉弁は、開閉コックであり、前記開閉機構は、前記開閉コックの開閉レバーを閉方向へ付勢するバネと、開閉レバーを開方向へ引っ張るため、この開閉レバーと前記散水レバーをつなぐワイヤーと、を有してなることを特徴とする請求項１に記載のライン引き器。
【発明の詳細な説明】
【技術分野】
【０００１】
この発明は、地面に石灰などの粉体でラインを引くライン引き器であって、散水機能付きのものの構造に関する。
【背景技術】
【０００２】
従来のライン引き器は、粉体を入れる粉タンクの底部に、粉体を送出する送出口が形成される。そして、走行するための車輪と同軸に取り付けられる羽根車が、粉タンク内で排出口の上に設けられ回転することで、粉体の送出を促す。このような構造は例えば下記特許文献１に記載される。
【０００３】
ところが、風の強い日などにグランドにラインを引く際、石灰、炭酸カルシウムなどの粉が風にあおられ、飛び散ってしまう。飛び散った粉は周りにいる人に降りかかり、不快であるとともに、せっかく引いたラインも薄れてしまう。
このため、小学校などでは運動会用にラインを引く際、粉が飛び散らないように先生方がヤカンやジョウロで水を撒き、すぐその後からライン引き器でラインを引いている。
【０００４】
しかし、一人でその作業をするのは、広いグラウンドに撒いた水が乾かないうちにラインを引かなければならないなど、大変困難な作業になっている。
また、ラインの幅に正確に合わせて水を撒くのは容易でなく、水が十分に撒かれていないところへ粉体が送出されてしまうこともある。
このため、下記特許文献２に記載されるように、特殊なライン引き用液を使うものが提案されている。このライン引き用液としては、水道水に適当な色の塗料を混ぜたものが記載される。
【特許文献１】実用新案登録３０８８０１３
【特許文献２】特開平１１−８９９９３
【発明の開示】
【発明が解決しようとする課題】
【０００５】
しかしながら、特許文献２に記載されるように、ライン引き用液が水道水に塗料を混ぜた特殊なものでは環境を汚染してしまう恐れがある。また、仮に、汚染がほとんど心配ない石灰、炭酸カルシウムなどの粉体を水に予め混ぜて使用することは、液が固まり易いため、あるいは粉体を水に溶かす作業が面倒であり、非現実的、あるいは困難である。
【０００６】
この発明は、以上の問題点を解決するために、石灰、炭酸カルシウムなどの粉体を水に予め混ぜずに使用でき、ラインを引く際に粉体が飛び散らないライン引き器を提供することを目的とする。
【課題を解決するための手段】
【０００７】
以上の課題を解決するために、第一発明は、地面に粉体でラインを引くライン引き器において、走行するための車輪と、ハンドルと、前記粉体を入れる粉タンクと、この粉タンクの底部に形成され前記粉体を送出する送出口と、前記車輪と同軸に、前記粉タンク内で前記送出口の上に設けられ、前記粉体の送出を促す羽根車と、水タンクと、この水タンクの底部と連通する連通部を介して前記送出口よりも前方に形成され、前記送出口よりも幅広く散水する散水部と、前記連通部に設けられた開閉弁と、この開閉弁を開閉するために前記ハンドルに設けられた散水レバーと、この散水レバーの動きを前記開閉弁に伝える開閉機構と、を有することを特徴とするライン引き器である。
【０００８】
第二発明は、さらに、前記連通部は水管であり、前記散水部はこの水管に開けられた複数の孔であり、前記開閉弁は、開閉コックであり、前記開閉機構は、前記開閉コックの開閉レバーを閉方向へ付勢するバネと、開閉レバーを開方向へ引っ張るため、この開閉レバーと前記散水レバーをつなぐワイヤーと、を有してなることを特徴とするライン引き器である。
【発明の効果】
【０００９】
第一、又は第二発明によれば、ハンドルに設けられた散水レバーを引くと、散水レバーの動きが開閉機構により開閉弁に伝わり、開閉弁が開く。これにより、水タンクの水は開閉弁を通り散水部から散水される。この水は、粉体の送出口よりも前方に、送出口よりも幅広く散水される。よって、ラインの幅に正確に合わせて散水できる。
【００１０】
第二発明によれば、さらに、水タンク、水管、この水管に開けられた複数の孔、開閉コック、バネ、ワイヤー、及び散水レバーという、簡易な構成要素で装置を構成でき、装置製造コストを低減でき、故障も少なくできる。
【発明を実施するための最良の形態】
【００１１】
この発明の実施形態を、図１から図３に示す。
この実施形態のライン引き器１は、手動で走行する４輪を有し、地面に石灰の粉体でラインを引くライン引き器１である。
走行するための４輪の車輪３のうち前方の車輪３に同軸に、後述する羽根車５が設けられる。車体７の後方には、上方へ突出するハンドル９が設けられ、このハンドル９を押すことで手動により走行を行う。
【００１２】
車体７の前方には、粉体１１を入れる粉タンク１３を有する。この粉タンク１３の上方には開口部１５があり、蓋１７により開閉する。粉タンク１３の底部１９には、粉体１１を地面へ送出する送出口２１が形成される。送出口２１には、多数の孔２３が形成された金属板が被せられ、粉体１１の塊が送出されることを防止する。
【００１３】
粉タンク１３内で送出口２１の上、すなわち送出口２１の内側には、羽根車５が設けられ回転して粉体１１の送出を促し、粉体１１が送出口２１の幅に応じて帯状に送出される。羽根車５は、弾性のあるブラシ２５を用いたものでもよいし、金属の羽根を用いたものでもよい。羽根車５の回転は、羽根車５が前側の車輪３と同軸に設けられることで、ライン引き器１が走行し車輪３が回転すると、行われる。
【００１４】
車体７の後方には水タンク２７を有する。水タンク２７の上面２９には、空気孔つきの開閉キャップ３１が設けられる。水タンク２７の底部２９には、水管３３が連通して連通部３５を形成する。この水管３３は、塩化ビニール製あるいはステンレス製で、粉体１１の送出口２１よりも前方に伸び、この前方で屈曲し、複数の孔３６が開けられ散水部３７を形成する。粉体１１の送出口２１と散水部３７の間の距離は十分に大きくし、散水された水３８が送出口２１にかからないようにする。送出口２１にかかると、粉体１１がこびりつき送出口２１を閉じてしまう恐れがあるためである。あるいは図示しないものの、両者の間に、地面に向かって伸びるスカート部を形成し、水がかからないようにすることもできる。
【００１５】
連通部３５である水管３３の途中には、開閉弁として開閉コック４１が取り付けられ、水管３３の開閉を行う。開閉コック４１に設けられている開閉レバー４３には、バネ４５が取り付けられ、閉じる方向（図１中右方向）へ付勢される。
開閉レバー４３には、また、開方向へ引っ張るためのワイヤー４７の一端が連結される。このワイヤー４７の他端は、ハンドル９に設けられた散水レバー４９に連結される。このワイヤー４７は、車両のブレーキ装置などに用いられるもので、インナーケーブル５１と、このインナーケーブを内側に摺動可能に収納するチューブ状のアウターケーブル５３とからなる。このようにして、開閉レバー４３と散水レバー４９がワイヤー４７でつながれ、散水レバー４９の動きを開閉弁に伝える開閉機構が構成される。
【００１６】
「実施形態の効果」
この実施形態によれば、ライン引き器１を押して操作する者が、ハンドル９に設けられた散水レバー４９を引くと、散水レバー４９の動きが開閉機構のワイヤー４７により開閉弁である開閉コック４１に伝わり、開閉コック４１が開く。これにより、水タンク２７の水は開閉コック４１を通り散水部３７から散水される。この水は、粉体１１の送出口２１よりも前方に、送出口２１よりも幅広く散水される。よって、ラインの幅に正確に合わせて散水でき、その上に粉体１１が帯状に送出される。
【００１７】
さらに、水タンク２７、水管３３、この水管３３に開けられた複数の孔３６、開閉コック４１、バネ４５、ワイヤー４７、及び散水レバー４９という、簡易な構成要素で装置を構成でき、装置製造コストを低減でき、故障も少なくできる。
【００１８】
「他の実施形態」
以上の実施形態では、 開閉弁が設けられる連通部３５は、水管３３であったが、他の実施形態では、水タンク２７の一部が狭くなった喉部でも良い。この喉部に開閉弁を設けることができる。
【００１９】
以上の実施形態では、散水部３７は水管３３に開けられた複数の孔３６であったが、他の実施形態では、水タンク２７の一部が狭くなった喉部の先に取り付けられたジョウロであってもよい。
以上の実施形態では、開閉弁は、開閉コック４１であったが、他の実施形態では、専用の弁であってもよい。
以上の実施形態では、開閉機構は、ワイヤー４７を用いるものであったが、他の実施形態では、金属ロッドをピン結合で連結したリンク機構により、開閉弁を開閉操作するものでもよい。この場合には、開閉弁を閉状態に復帰するためのバネ４５を、リンク機構、開閉弁、散水レバー４９の何処に設けてもよい。
【図面の簡単な説明】
【００２０】
【図１】この発明の一実施形態に係るライン引き器を断面で示す側面図である。
【図２】図１を断面で示す正面図である。
【図３】図１を断面で示す底面図である。
【符号の説明】
【００２１】
１…ライン引き器、３…車輪、５…羽根車、７…車体、９…ハンドル、１１…粉体、１３…粉タンク、１５…開口部、１７…蓋、１９…底部、２１…送出口、２３、３６…孔、２５…ブラシ、２７…水タンク、２９…上面、３１…開閉キャップ、３３…水管、３５…連通部、３７…散水部、３８・・水、４１…開閉コック、４３…開閉レバー、４５…バネ、４７…ワイヤー、４９…散水レバー、５１…インナーケーブル、５３…アウターケーブル。
【図１】
2009143504.tif 000003
【図２】
2009143504.tif 000004
【図３】
2009143504.tif 000005